(57)【要約】【課題】メタデータ付与装置をカメラレコーダに接続し、メタデータを付与する場合、接続に不具合等が発生すると意図するメタデータが付与されない。【解決手段】メタデータ付与装置１１０は、コンテンツに付与するメタ情報を入力するメタデータ入力部２３０と、外部の装置と通信を行う通信部２００と、コンテンツを記録する記録装置を一意に識別するための装置識別情報を、通信部２００を介して取得するＭＡＣアドレス管理部２５０と、時刻を取得する時刻管理部２４０と、メタデータ入力部２３０で入力したメタ情報の記録装置への通信が失敗した際に、通信失敗時における時刻管理部２４０による失敗時時刻、装置識別情報、及び通信に失敗したメタ情報を保持し、所定のタイミングで、保持した情報を、通信部２００を用いて、送信する付与情報生成部２１０と、を備える。【選択図】図２
2011172128.tif 000002
【特許請求の範囲】
【請求項１】
コンテンツを記録する記録装置と、前記コンテンツに付与するメタ情報を生成するメタ情報付与装置を含むメタ情報付与システムであって、
前記メタ情報付与装置は、
コンテンツに付与するメタ情報を入力するメタ情報入力部と、
外部の装置と通信を行う通信部と、
前記記録装置を一意に識別するための装置識別情報を、前記通信部を介して取得する装置識別情報管理部と、
時刻を取得する時刻管理部と、
前記メタ情報入力部で入力したメタ情報の前記記録装置への通信が失敗した際に、通信失敗時における前記時刻管理部による失敗時時刻、前記装置識別情報、及び通信に失敗したメタ情報を保持し、所定のタイミングで、保持した情報を、前記通信部を用いて、送信するメタ情報管理部と、
を備え、
前記記録装置は、
コンテンツを一意に識別するための、当該記録装置を識別するための記録装置識別情報と記録時の時刻とを含むコンテンツ識別情報を生成するコンテンツ識別情報生成部と、
コンテンツとコンテンツに対する前記コンテンツ識別情報とを記録媒体に記録する記録部と、
外部の装置と通信を行う通信部と、
前記通信部を介して前記メタ情報付与装置から取得した、前記失敗時時刻、及び前記装置識別情報を基に、前記記録媒体上の対応するコンテンツを特定し、特定したコンテンツに対して、前記メタ情報付与装置から取得した前記メタ情報を付与するメタ情報付与部と、
を備えるメタ情報付与システム。
【請求項２】
前記メタ情報管理部は、
前記記録装置におけるコンテンツの記録が終了した際に、前記失敗時時刻、前記装置識別情報、及び前記メタ情報を、前記通信部を用いて、送信する
請求項１に記載のメタ情報付与システム。
【請求項３】
前記装置識別情報管理部は、
前記装置識別情報として、前記記録装置のＭＡＣアドレスを取得する
請求項１又は２に記載のメタ情報付与システム。
【請求項４】
前記メタ情報付与システムは、
前記記録装置で記録されたコンテンツを管理するコンテンツ管理装置をさらに含み、
前記コンテンツ管理装置は、
外部の装置と通信を行う通信部と、
前記記録装置によりコンテンツとコンテンツ識別情報とが記録された記録媒体から、前記通信部を介して前記メタ情報付与装置から取得した、前記失敗時時刻、及び前記装置識別情報を基に、前記記録媒体上の対応するコンテンツを特定し、特定したコンテンツに対して、前記メタ情報付与装置から取得した前記メタ情報を付与するメタ情報付与部と、
を備える請求項１から３の何れかに記載のメタ情報付与システム。
【請求項５】
コンテンツに付与するメタ情報を入力するメタ情報入力部と、
外部の装置と通信を行う通信部と、
コンテンツを記録する記録装置を一意に識別するための装置識別情報を、前記通信部を介して取得する装置識別情報管理部と、
時刻を取得する時刻管理部と、
前記メタ情報入力部で入力したメタ情報の前記記録装置への通信が失敗した際に、通信失敗時における前記時刻管理部による失敗時時刻、前記装置識別情報、及び通信に失敗したメタ情報を保持し、所定のタイミングで、保持した情報を、前記通信部を用いて、送信するメタ情報管理部と、
を備えるメタ情報付与装置。
【請求項６】
前記メタ情報管理部は、
前記記録装置におけるコンテンツの記録が終了した際に、前記失敗時時刻、前記装置識別情報、及び前記メタ情報を、前記通信部を用いて、送信する
請求項５に記載のメタ情報付与装置。
【請求項７】
前記装置識別情報管理部は、
前記装置識別情報として、前記記録装置のＭＡＣアドレスを取得する
請求項５又は６に記載のメタ情報付与装置。
【請求項８】
コンテンツに付与するメタ情報を入力するメタ情報入力工程と、
外部の装置と通信を行う通信工程と、
コンテンツを記録する記録装置を一意に識別するための装置識別情報を、前記通信工程を介して取得する装置識別情報管理工程と、
時刻を取得する時刻管理工程と、
前記メタ情報入力工程で入力したメタ情報の前記記録装置への通信が失敗した際に、通信失敗時における前記時刻管理工程による失敗時時刻、前記装置識別情報、及び通信に失敗したメタ情報を保持し、所定のタイミングで、保持した情報を、前記通信工程を用いて、送信するメタ情報管理工程と、
を含むメタ情報付与方法。
【発明の詳細な説明】
【技術分野】
【０００１】
本発明は、カメラレコーダ等の映像記録装置に対して、映像情報を管理するメタデータを付与するメタ情報付与システム、メタ情報付与装置、及びメタ情報付与方法に関するものである。
【背景技術】
【０００２】
近年、映像編集にコンピュータを用いたノンリニア編集を行うことが一般的になってきている。このため撮影段階からプロフェッショナルな映像製作の現場では、磁気テープ等にリニアに映像を記録するのではなく、半導体メモリを代表とするＩＴ親和性の高い記録媒体にファイルとして映像を記録するカメラレコーダを使用することが、一般的である。さらに、このようなファイルベースの映像記録の場合、撮影した映像に関連するメタデータを、映像と同じ記録媒体に記録できる機能をもったものもある。
【０００３】
メタデータは、撮影者や撮影対象、目的、日時、場所といった情報や、撮影時のカメラレコーダの設定値等を含むことが多い。また、映像の時間軸上に関連付けたテキスト情報を含むこともある。編集者は、メタデータを用いて、非常に長い時間撮影された映像の中で、必要な箇所をすぐに検索することができる。このようにメタデータを利用することで、編集等の撮影後の後工程を効率よく進めることや、アーカイブした映像から所望の映像を検索することが容易になる。
【０００４】
撮影した映像にメタデータを付与する方法として、例えば特許文献１に開示の技術がある。特許文献１において、メタデータ付与装置は、動画データを入力し、映像表示部に表示する。利用者は、この表示された動画データを見ながら、メタデータ入力部を介してキー入力を行うと、メタデータ付与装置は、入力キーを検知するので、入力キーを検知したときの動画データのタイムコードを取得し、入力された入力キーと動画データのタイムコードを関連付ける。メタデータ付与が終了すると、入力された入力キーと動画データのタイムコードを関連付けたタイムコード付きメタデータをメタデータ記憶部に登録する。これにより、動画データのタイムコードとメタデータを対応付けて保持するので、動画データの各シーンに対して、きめ細かくメタデータを付与することができる。
【０００５】
しかしながら、上記従来の構成では、メタデータ付与装置は、映像入力部と一体に構成されており、メタデータを付与するために映像データの解析等が必要となるため、高いパフォーマンスが求められ、装置が大規模化する。
【０００６】
一方、近年はスマートフォンやネットブック等に代表される携帯電話や持ち運び可能な小型ＰＣの機能が進化し、このようなＩＴ端末をカメラレコーダと接続し、メタデータを付与する形態が望まれている。上記従来の技術では、カメラレコーダによる撮影時に、外部の端末でメタデータを生成し、撮影中にカメラレコーダが映像データと併せて外部の端末で生成したメタデータを記録する形態について考慮されていない。
【先行技術文献】
【特許文献】
【０００７】
【特許文献１】特開２００５−２２２３２９号公報
【発明の概要】
【発明が解決しようとする課題】
【０００８】
カメラレコーダによる映像記録時に、外部のメタデータ付与装置をカメラレコーダに接続し、ネットワークを介してメタデータを付与する形態において、ネットワークに不具合等が発生すると、映像データに意図するメタデータが付与されないという課題がある。
【課題を解決するための手段】
【０００９】
上記課題を解決するために、コンテンツを記録する記録装置と、前記コンテンツに付与するメタ情報を生成するメタ情報付与装置を含むメタ情報付与システムであって、前記メタ情報付与装置は、コンテンツに付与するメタ情報を入力するメタ情報入力部と、外部の装置と通信を行う通信部と、前記記録装置を一意に識別するための装置識別情報を、前記通信部を介して取得する装置識別情報管理部と、時刻を取得する時刻管理部と、前記メタ情報入力部で入力したメタ情報の前記記録装置への通信が失敗した際に、通信失敗時における前記時刻管理部による失敗時時刻、前記装置識別情報、及び通信に失敗したメタ情報を保持し、所定のタイミングで、保持した情報を、前記通信部を用いて、送信するメタ情報管理部と、を備え、前記記録装置は、コンテンツを一意に識別するための、当該記録装置を識別するための記録装置識別情報と記録時の時刻とを含むコンテンツ識別情報を生成するコンテンツ識別情報生成部と、コンテンツとコンテンツに対する前記コンテンツ識別情報とを記録媒体に記録する記録部と、外部の装置と通信を行う通信部と、前記通信部を介して前記メタ情報付与装置から取得した、前記失敗時時刻、及び前記装置識別情報を基に、前記記録媒体上の対応するコンテンツを特定し、特定したコンテンツに対して、前記メタ情報付与装置から取得した前記メタ情報を付与するメタ情報付与部と、を備える。
【発明の効果】
【００１０】
上記の構成により、メタ情報付与装置と記録装置間の接続に不具合等が発生し、メタデータの付与に失敗した場合であっても、後ほど映像データに意図したメタデータを付与することができる。
【図面の簡単な説明】
【００１１】
【図１】実施の形態１における全体構成を示すブロック図
【図２】実施の形態１におけるメタデータ付与装置の構成を示すブロック図
【図３】実施の形態１におけるカムコーダの構成を示すブロック図
【図４ａ】実施の形態１におけるリアルタイムでのメタデータ付与の動作を示すフローチャート
【図４ｂ】実施の形態１におけるリアルタイムでのメタデータ付与の動作を示すフローチャート
【図５ａ】実施の形態１におけるメタデータ付与失敗時のその後のメタデータ付与の動作を示すフローチャート
【図５ｂ】実施の形態１におけるメタデータ付与失敗時のその後のメタデータ付与の動作を示すフローチャート
【図６】実施の形態２における全体構成を示すブロック図
【図７】実施の形態２におけるコンテンツ管理装置の構成を示すブロック図
【図８】実施の形態２におけるメタデータ付与失敗時のその後のメタデータ付与の動作を示すフローチャート
【図９】実施の形態１における付与情報を示す図
【図１０】実施の形態１における再送信情報を示す図
【発明を実施するための形態】
【００１２】
以下、図面を参照しながら実施の形態について説明する。
【００１３】
（実施の形態１）
（１−１．全体の構成）
図１は実施の形態１における全体の構成を示すブロック図である。本実施の形態におけるメタデータ付与システムは、カムコーダ１００とメタデータ付与装置１１０とで構成される。カムコーダ１００とメタデータ付与装置１１０はネットワークを介して通信を行う。メタデータ付与装置１１０は、カムコーダ１００に対してメタデータの付与情報を送信する。カムコーダ１００は送信された付与情報を受信する。カムコーダ１００は受信した付与情報の中のメタデータを記録中のコンテンツ、または、記録済みのコンテンツに対して記録する。
【００１４】
本実施の形態のカムコーダ１００は、記録媒体にファイルベースの情報を記録可能な装置である。また、メタデータ付与装置１１０は、通信機能と文字入力機能やタッチ操作機能等の入力インタフェースとを備えたものである。例えば、パーソナルコンピュータや携帯電話、携帯音楽プレーヤー等である。カムコーダ１００とメタデータ付与装置１１０をつなぐネットワークは、有線によるＬＡＮ接続やＩＥＥＥ８０２．１１ａ／ｂ／ｇ／ｎといった無線ＬＡＮ接続等である。また、ネットワークは公衆網や専用線を用いたＷＡＮ接続でもよい。無線を用いたＷＡＮ接続の場合、ＬＴＥ（Ｌｏｎｇ  Ｔｅｒｍ  Ｅｖｏｌｕｔｉｏｎ）やＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の通信規格に準拠したものでもよい。
【００１５】
以下に、メタデータ付与装置１１０とカムコーダ１００の構成について述べる。
【００１６】
（１−２．メタデータ付与装置の構成）
図２は実施の形態１におけるメタデータ付与装置１１０の構成を示すブロック図である。
【００１７】
通信部２００は、付与情報生成部２１０により生成された付与情報を送信する。カムコーダ１００が付与に成功したとき、通信部２００はカムコーダ１００から付与に成功した旨を通知する成功通知情報を受信する。通信部２００がこの成功通知情報が受信できなかった場合、メタデータ付与に失敗したと判定する。通信部２００は、通信部２００が有線によるネットワークであれば、Ｅｔｈｅｒｎｅｔ（登録商標）のアダプタとそれを制御するソフトウェアで構成される。また、通信部２００が無線によるネットワークであれば、前述した無線方式をサポートする無線デバイスとそれを制御するソフトウェアで構成される。
【００１８】
付与情報生成部２１０は、メタデータ記憶部２２０から受け取ったメタデータをカムコーダ１００とメタデータ付与装置１１０の通信間のやり取りの形式である付与情報に変換する。付与情報は、ＸＭＬ（Ｅｘｔｅｎｓｉｂｌｅ  Ｍａｒｋｕｐ  Ｌａｎｇｕａｇｅ）形式で表される。図９に付与情報の一例を示す。Ｔａｒｇｅｔタグには付与する対象を記述する。ＭｅｔａＣｏｎｔｅｎｔｓタグの中に付与するメタデータの内容を記述する。カムコーダ１００は、付与情報を受信した時刻に撮影しているコンテンツに図９（ａ）に示す関連付けたテキストメモ「ＧＯＡＬ！！」をメタデータとして付与する。図９（ｂ）では、カムコーダ１００は、１つ目のメディアのＳｏｃｃｅｒ００１というコンテンツに対して、１２３フレーム目の時刻と関連付けたテキストメモ「ＧＯＡＬ！！」をメタデータとして付与する。また、メタデータ付与装置１１０は、カムコーダ１００のＭＡＣアドレス情報、失敗した付与情報の送信時刻情報、失敗した付与情報の内容を基に再送信する再送信情報を生成する。この再送信情報の例を図１０に示す。図１０において、Ｒｅタグは再送信情報を示すものである。ＰｈｙｓｉｃａｌＡｄｄｒｅｓｓタグにはカムコーダ１００のＭＡＣアドレス情報が記述される。ＳｅｎｄＴｉｍｅタグには失敗した付与情報の送信時刻が記述される。
【００１９】
メタデータ記憶部２２０は、メタデータ入力部２３０から受け取ったメタデータをメモリに記憶しておく。通信部２００が成功通知情報を受信した場合は、メタデータ記憶部２２０は記憶していたメタデータを削除する。
【００２０】
メタデータ入力部２３０は、ユーザの操作から付与したいメタデータを受け取る。本実施の形態におけるメタデータ入力部２３０は、キーボードによる文字入力やマウスやタッチパネルを用いたクリック操作による入力である。
【００２１】
時刻管理部２４０は、メタデータ付与装置１１０が付与情報を送信したときの送信時刻情報を管理する。時刻管理部２４０は通信部２００が通信を行うときの時刻を送信時刻情報としてメモリに記憶する。通信部２００が成功通知情報を受信した場合は、時刻管理部２４０は記憶していた送信時刻情報を削除する。
【００２２】
ＭＡＣアドレス管理部２５０は、ネットワーク通信に必要なＡＲＰテーブル２５１を監視している。通信部２００が通信を行うとき、ＭＡＣアドレス管理部２５０は送信先であるＩＰアドレスを受け取る。ＭＡＣアドレス管理部２５０はＡＲＰテーブル２５１から受け取ったＩＰアドレスに対応するＭＡＣアドレス情報をメモリに記憶する。通信部２００が成功通知情報を受信した場合は、ＭＡＣアドレス管理部２５０は記憶していたＭＡＣアドレス情報を削除する。
【００２３】
（１−３．カムコーダの構成）
次にカムコーダ１００の構成について述べる。図３はカムコーダ１００の構成を示すブロック図である。
【００２４】
通信部３００は、メタデータ付与装置１１０から付与情報、もしくは再送信情報を受信する。通信部３００は、付与情報であれば、メタデータ付与部３２０に受信した付与情報を渡す。通信部３００は、再送信情報であれば、付与対象特定部３１０に受信した再送信情報を渡す。通信部３００は、メタデータ付与装置１１０における通信部２００と同様に、有線又は無線のネットワークに対応する。
【００２５】
付与対象特定部３１０は、通信部３００から受け取った再送信情報のメタデータの付与内容と送信時刻情報、ＭＡＣアドレス情報を読み取る。付与対象特定部３１０は、再送信情報から読み取った情報を基に、カムコーダ１００で管理している記録媒体３４０に記録されたコンテンツの中から、メタデータの付与に失敗したコンテンツを特定する。付与対象特定部３１０は、特定したコンテンツとメタデータの付与内容を付与情報として生成する。付与対象特定部３１０は、生成した付与情報をメタデータ付与部３２０に渡す。
【００２６】
メタデータ付与部３２０は通信部３００、または、付与対象特定部３１０から受け取った付与情報の付与するメタデータの内容とクリップ名を読み取る。メタデータ付与部３２０は読み取った情報を記録部３３０に渡す。
【００２７】
記録部３３０は撮像部３７０から映像データを受け取り、コンテンツファイル３４１として記録媒体３４０に対して記録する。そのコンテンツファイル３４１と付随した形式で、メタデータ付与部３２０から受け取ったメタデータをメタデータファイル３４２に記録する。
【００２８】
記録媒体３４０はコンテンツファイル３４１とメタデータファイル３４２を記録するためのメディアである。本実施の形態では、ＤＶＤ（Ｄｉｇｉｔａｌ  Ｖｅｒｓａｔｉｌｅ  Ｄｉｓｋ）やＢＤ（Ｂｌｕ−ｒａｙ  Ｄｉｓｃ）といった光ディスク、ＨＤＤ（Ｈａｒｄ  Ｄｉｓｋ  Ｄｒｉｖｅ）のような磁気ディスク、あるいはＳＤメモリーカードやＳＳＤ（Ｓｏｌｉｄ  Ｓｔａｔｅ  Ｄｒｉｖｅ）のような半導体メモリといったランダムアクセス可能な媒体を想定している。コンテンツファイル３４１は映像や音声といったコンテンツをファイルとして保存したものである。映像と音声は多重化されて１つのファイルとして保存してもよい。また、別々のファイルとして保存してもよい。メタデータファイル３４２は撮影に関する付帯情報をＸＭＬ形式等で記述したものである。コンテンツファイル３４１とメタデータファイル３４２は１つのファイルとしてもよい。また、別のファイルとして保存してもよい。
【００２９】
ＵＭＩＤ生成部３５０は、メタデータとして記録するコンテンツに対してグローバルユニークなＩＤであるＵＭＩＤ（Ｕｎｉｑｕｅ  Ｍａｔｅｒｉａｌ  Ｉｄｅｎｔｉｆｉｅｒ）を生成する。ＵＭＩＤはＳＭＰＴＥ  ３３０Ｍ−２００Ｘにて規格化されている。ＵＭＩＤはカムコーダ１００の機器固有の番号として利用可能なＭＡＣアドレス情報と撮影を開始した時刻情報を含んでいる。ＵＭＩＤ生成部３５０は通信部３００からカムコーダ１００のＭＡＣアドレス情報を受け取る。また、ＵＭＩＤ生成部３５０は時刻管理部３６０から撮影を開始した時刻情報を受け取る。
【００３０】
時刻管理部３６０はカムコーダ１００の撮影の開始時刻や終了時刻を管理する。
【００３１】
撮像部３７０はレンズを通して入ってきた光学情報を映像信号に変換する。本実施の形態における撮像部３７０とは、各種レンズを含む光学系と、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）といった撮像素子を含む。
【００３２】
（２−１．リアルタイムメタデータ付与の動作）
以下、リアルタイムメタデータ付与の動作について説明する。まず、メタデータ付与装置１１０の動作について図４ａのフローチャートを用いて説明する。
【００３３】
メタデータ付与装置１１０のユーザがメタデータ入力部２３０を用いてメタデータを入力する（Ｓ４００）。メタデータ記憶部２２０が入力されたメタデータを記憶する（Ｓ４０１）。付与情報生成部２１０は記憶されたメタデータから付与情報を生成する（Ｓ４０２）。通信部２００が付与情報をカムコーダ１００に送信する（Ｓ４０３）。時刻管理部２４０は付与情報として送信時刻情報を記憶する（Ｓ４０４）。ＭＡＣアドレス管理部２５０はＡＲＰテーブル２５１の中から送信先のＭＡＣアドレス情報を記憶する（Ｓ４０５）。すると、通信部２００は成功通知情報の待ち状態に入る（Ｓ４０６）。
【００３４】
通信部２００はカムコーダ１００からの成功通知情報を受信したか否かを判定する（Ｓ４０７）。通信部２００がカムコーダ１００からの成功通知情報を受信した場合（Ｓ４０７でＹｅｓ）、メタデータ記憶部２２０は記憶したメタデータを削除する（Ｓ４０８）。次に、時刻管理部２４０は記憶した送信時刻情報を削除する（Ｓ４０９）。次に、ＭＡＣアドレス管理部２５０は記憶したＭＡＣアドレス情報を削除する（Ｓ４１０）。Ｓ４０８とＳ４０９、Ｓ４１０の処理はどの順番で行ってもよい。そして、メタデータ付与装置１１０は動作を終了する。
【００３５】
通信部２００がカムコーダ１００からの成功通知情報を受信しなかった場合（Ｓ４０７でＮｏ）、通信部２００は成功通知情報の待ち状態に入って一定時間が経過したかどうかを判定する（Ｓ４１１）。通信部２００が成功通知情報の待ち状態に入って一定時間経過していない場合（Ｓ４１１でＮｏ）は、再びＳ４０７の判定を行う。通信部２００が成功通知情報の待ち状態に入って一定時間経過した場合（Ｓ４１１でＹｅｓ）は、通信部２００は付与に失敗したと判定する（Ｓ４１２）。そして、メタデータ付与装置１１０は動作を終了する。
【００３６】
次に、カムコーダ１００の動作について図４ｂのフローチャートを用いて説明する。
【００３７】
カムコーダ１００はユーザの操作により撮影を開始する（Ｓ４５０）。通信部３００はメタデータ付与装置１１０から付与情報を受信したかどうかを判定する（Ｓ４５１）。通信部３００がメタデータ付与装置１１０から付与情報を受信した場合（Ｓ４５１でＹｅｓ）、メタデータ付与部３２０は受信した付与情報から付与するメタデータの内容を読み取る（Ｓ４５２）。記録部３３０は撮影中のコンテンツに関連するメタデータとして記憶する（Ｓ４５３）。通信部３００は成功通知情報を、メタデータ付与装置１１０に送信する（Ｓ４５４）。
【００３８】
Ｓ４５４の処理が終了した後、もしくは、通信部３００がメタデータ付与装置１１０から付与情報を受信していない場合（Ｓ４５１でＮｏ）、カムコーダ１００は撮影が終了しているかどうかを判定する（Ｓ４５５）。撮影を終了していない場合は、カムコーダ１００はＳ４５１の判定に戻る。撮影を終了している場合は、記録部３３０は、記録媒体３４０に対して、記録部３３０で管理されたメタデータをメタデータファイル３４２として書き込む（Ｓ４５６）。そして、カムコーダ１００は動作を終了する。
【００３９】
（２−２．リアルタイムメタデータ付与失敗後の動作）
以下、リアルタイムメタデータ付与失敗後の動作について説明する。まず、メタデータ付与装置１１０の動作について図５ａのフローチャートを用いて説明する。
【００４０】
メタデータ付与装置１１０が付与失敗後にメタデータの再付与を行うタイミングとしては次の通りである。ユーザが付与失敗のリストから選択した時、メタデータ付与装置が失敗と判定した直後、メタデータ付与装置が他のメタデータ付与に成功した直後等である。
【００４１】
付与情報生成部２１０は、再送信情報を生成する（Ｓ５００）。付与情報生成部２１０はＳ５００を実行するため、メタデータ記憶部２２０から付与に失敗したメタデータの内容と、時刻管理部２４０から失敗時の送信時刻情報と、ＭＡＣアドレス管理部２５０から失敗時のカムコーダ１００のＭＡＣアドレス情報とを取得する。通信部２００は付与情報生成部２１０が生成した再送信情報をカムコーダ１００に送信する（Ｓ５０１）。すると、通信部２００は成功通知情報の待ち状態に入る（Ｓ５０２）。
【００４２】
通信部２００はカムコーダ１００からの返信を受信したか否かを判定する（Ｓ５０３）。通信部２００がカムコーダ１００からの成功通知情報を受信した場合（Ｓ５０３でＹｅｓ）、メタデータ記憶部２２０は記憶したメタデータを削除する（Ｓ５０４）。次に、時刻管理部２４０は記憶していた送信時刻情報を削除する（Ｓ５０５）。次に、ＭＡＣアドレス管理部２５０は記憶していたＭＡＣアドレス情報を削除する（Ｓ５０６）。Ｓ５０４とＳ５０５、Ｓ５０６の処理はどの順番で行ってもよい。そして、メタデータ付与装置１１０は動作を終了する。
【００４３】
通信部２００がカムコーダ１００からの成功通知情報を受信しなかった場合（Ｓ５０３でＮｏ）、通信部２００は成功通知情報の待ち状態に入って一定時間が経過したかどうかを判定する（Ｓ５０７）。通信部２００が成功通知情報待ち状態に入って一定時間経過していない場合（Ｓ５０７でＮｏ）は、再びＳ５０３の判定を行う。通信部２００が成功通知情報の待ち状態に入って一定時間経過した場合（Ｓ５０７でＹｅｓ）は、通信部２００が再付与に失敗したと判定する（Ｓ５０８）。そして、メタデータ付与装置１１０は動作を終了する。
【００４４】
次に、カムコーダ１００の動作について図５ｂのフローチャートを用いて説明する。
【００４５】
カムコーダ１００が再送信情報を受信する動作を開始するタイミングは、カムコーダ１００が撮影動作をしていない時である。すなわち、ユーザが撮影を終了してから次の撮影を開始するまでの時間である。
【００４６】
通信部３００はメタデータ付与装置１１０から再送信情報を受信したかどうかを判定する（Ｓ５５０）。通信部３００がメタデータ付与装置１１０から再送信情報を受信していない場合（Ｓ５５０でＮｏ）、ユーザが撮影を開始したかどうかを判定する（Ｓ５５１）。ユーザが撮影を開始していない場合（Ｓ５５１でＮｏ）、再びＳ５５０の判定を行う。ユーザが撮影を開始した場合（Ｓ５５１でＹｅｓ）、本動作は終了する。
【００４７】
通信部３００がメタデータ付与装置１１０から再送信情報を受信した場合（Ｓ５５０でＹｅｓ）、付与対象特定部３１０は受信した再送信情報からＭＡＣアドレス情報Ａｒを読み取る（Ｓ５５２）。付与対象特定部３１０は受信した再送信情報から送信時刻情報Ｔｒを読み取る（Ｓ５５３）。付与対象特定部３１０は受信した再送信情報からメタデータの内容Ｃｒを読み取る（Ｓ５５４）。Ｓ５５２とＳ５５３、Ｓ５５４はどの順番で行ってもよい。付与対象特定部３１０は、ＭＡＣアドレス情報Ａｒと送信時刻情報Ｔｒからメタデータを付与する対象を特定する（Ｓ５５５）。
【００４８】
この特定の方法は以下の通りである。カムコーダ１００は、記録媒体３４０に記録されている全コンテンツに付与されたＵＭＩＤのリストであるリストＬ１を保持する。リストＬ２はリストＬ１の中のＵＭＩＤから抽出したＭＡＣアドレス情報Ａｕと、再送信情報から読み取ったＭＡＣアドレス情報Ａｒが一致しているＵＭＩＤのリストとする。付与対象特定部３１０は、リストＬ２中の全てのＵＭＩＤに対して、再送信情報から読み取った送信時刻情報ＴｒとリストＬ２中のＵＭＩＤに含まれる撮影開始時刻情報Ｔｕの差Ｄを求める。付与対象特定部３１０は、Ｄが０以上かつ最小となる時のＴｕを持つＵＭＩＤが付与されたコンテンツを付与対象として特定する。
【００４９】
付与対象特定部３１０が付与対象を特定した後、付与対象特定部３１０はＳ５５４で読み取ったメタデータ付与に失敗した内容Ｃｒと、特定したコンテンツの名前、記録媒体３４０の場所とを基に、付与情報を生成する（Ｓ５５６）。付与対象特定部３１０はメタデータ付与部３２０に付与情報を渡す（Ｓ５５７）。メタデータ付与部３２０は受信した付与情報から付与するメタデータの内容とコンテンツの情報を読み取る（Ｓ５５８）。記録部３３０はＳ５５８において読み取ったコンテンツに関連するメタデータとして、Ｓ５５８において読み取ったメタデータの内容を記録媒体３４０に書き込む（Ｓ５５９）。通信部３００は成功通知情報を、メタデータ付与装置１１０に送信する（Ｓ５６０）。そして、カムコーダ１００はＳ５５０の判定に戻る。
【００５０】
（３．まとめ）
以上のように、本実施の形態におけるメタ情報付与システムによれば、メタデータ付与装置１１０によるリアルタイムのメタデータの付与が失敗した場合でも、カムコーダ１００は、再送信された再送信情報を基に、記録済みのコンテンツから対応するコンテンツを検索し、メタデータを付与することができる。
【００５１】
また、カムコーダ１００は、記録が終了した際に、メタデータ付与装置１１０から受信した再送信情報を基に、コンテンツにメタデータを付加することにより、記録動作に影響を及ぼすことなく、メタデータを付与することができる。
【００５２】
メタデータ付与装置１１０は、装置識別情報としてＭＡＣアドレスを用いることにより、他に独自に情報を定義することなく、ネットワークで用いるＡＲＰテーブル２５１を用いることで、カムコーダ１００を一意に識別できる情報を取得することができる。
【００５３】
（実施の形態２）
（１−１．全体の構成）
図６は実施の形態２における全体の構成を示すブロック図である。本実施の形態におけるメタデータ付与システムは、コンテンツ管理装置６００とメタデータ付与装置６１０とで構成される。コンテンツ管理装置６００とメタデータ付与装置６１０はネットワークを介して通信を行う。メタデータ付与装置６１０は、コンテンツ管理装置６００に対してメタデータの再送信情報を送信する。コンテンツ管理装置６００は送信された再送信情報を受信する。コンテンツ管理装置６００は受信した再送信情報からメタデータを付与するコンテンツを特定する。コンテンツ管理装置６００は特定したコンテンツに再送信情報に記述されたメタデータを付与する。
【００５４】
本実施の形態のコンテンツ管理装置６００は、カムコーダで撮影された大量のコンテンツを管理するサーバである。また、メタデータ付与装置６１０は、実施の形態１で示したメタデータ付与装置１１０と同等の機能を持つ。コンテンツ管理装置６００とメタデータ付与装置６１０をつなぐネットワークは、有線によるＬＡＮ接続やＩＥＥＥ８０２．１１ａ／ｂ／ｇ／ｎといった無線ＬＡＮ接続等である。また、ネットワークは公衆網や専用線を用いたＷＡＮ接続でもよい。無線を用いたＷＡＮ接続の場合、ＬＴＥ（Ｌｏｎｇ  Ｔｅｒｍ  Ｅｖｏｌｕｔｉｏｎ）やＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の通信規格に準拠したものでもよい。
【００５５】
本実施の形態は、以下の場合において有効である。実施の形態１においてリアルタイムメタデータ付与失敗後の動作を行うとき、カムコーダ１００の記録媒体３４０に記録されていたコンテンツが既にコンテンツ管理装置６００に移動していた場合である。
【００５６】
以下に、コンテンツ管理装置６００の構成について述べる。メタデータ付与装置６１０は実施の形態１と同様であり、説明を省略する。
【００５７】
（１−２．コンテンツ管理装置の構成）
図７はコンテンツ管理装置６００の構成を示すブロック図である。
【００５８】
通信部７００は実施の形態１のカムコーダ１００における通信部３００と同様である。付与対象特定部７１０は実施の形態１のカムコーダ１００における付与対象特定部３１０と同様である。メタデータ付与部７２０は実施の形態１のカムコーダ１００におけるメタデータ付与部３２０と同様である。ただし、コンテンツ管理装置６００は撮影動作の機能を持たないので、リアルタイムメタデータの付与はできない。すなわち、コンテンツ管理装置６００は図８の形式での付与情報は受け付けない。
【００５９】
記録部７３０はメタデータ付与部７２０から受け取ったメタデータをメタデータファイル７４２に記録する。
【００６０】
記録媒体７４０は実施の形態１のカムコーダ１００における記録媒体３４０と同様である。
【００６１】
（２．リアルタイムメタデータ付与失敗後の動作）
以下、リアルタイムメタデータ付与失敗後の動作について説明する。
【００６２】
本実施の形態において、メタデータ付与装置６１０がリアルタイムメタデータ付与失敗後にメタデータの再付与を行うタイミングは次の通りである。メタデータ付与装置６１０が実施の形態１において、メタデータの付与に失敗した後、でかつ、その時刻近辺で撮影されていたと思われるコンテンツ群がコンテンツ管理装置６００に移動した状況で、ユーザが付与失敗のリストから選択したときである。
【００６３】
メタデータ付与装置６１０のリアルタイムメタデータ付与失敗後の動作は、実施の形態１での図５ａの動作と同様である。通信相手がカムコーダ１００からコンテンツ管理装置６００に変わるだけである。
【００６４】
次に、コンテンツ管理装置６００の動作について図８のフローチャートを用いて説明する。
【００６５】
コンテンツ管理装置６００がリアルタイムメタデータ付与失敗後の動作を開始するタイミングは、メタデータ付与装置６１０から再送信情報を受信したときである。図８のフローチャート内には、コンテンツ管理装置６００が再送信情報の受信をしたかどうかの判定も含めている（Ｓ８００）。
【００６６】
通信部７００がメタデータ付与装置６１０から再送信情報を受信した場合（Ｓ８００でＹｅｓ）、付与対象特定部７１０は受信した再送信情報からＭＡＣアドレス情報Ａｒを読み取る（Ｓ８０１）。付与対象特定部７１０は受信した再送信情報から送信時刻情報Ｔｒを読み取る（Ｓ８０２）。付与対象特定部７１０は受信した再送信情報からメタデータの内容Ｃｒを読み取る（Ｓ８０３）。Ｓ８０１とＳ８０２、Ｓ８０３はどの順番で行ってもよい。付与対象特定部７１０は、ＭＡＣアドレス情報Ａｒと送信時刻情報Ｔｒからメタデータを付与する対象を特定する（Ｓ８０４）。
【００６７】
この特定の方法は以下の通りである。コンテンツ管理装置６００は記録媒体７４０に記録されている全コンテンツに付与されたＵＭＩＤのリストであるリストＬ１を保持する。リストＬ２はリストＬ１の中のＵＭＩＤから抽出したＭＡＣアドレス情報Ａｕと、再送信情報から読み取ったＭＡＣアドレス情報Ａｒが一致しているＵＭＩＤのリストとする。付与対象特定部７１０は、リストＬ２中の全てのＵＭＩＤに対して、再送信情報から読み取った送信時刻情報ＴｒとリストＬ２中のＵＭＩＤに含まれる撮影開始時刻情報Ｔｕの差Ｄを求める。付与対象特定部７１０は、Ｄが０以上かつ最小となる時のＴｕを持つＵＭＩＤが付与されたコンテンツを付与対象として特定する。
【００６８】
付与対象特定部７１０が付与対象を特定した後、付与対象特定部７１０はＳ８０３で読み取ったメタデータ付与に失敗した内容Ｃｒと、特定したコンテンツの名前、記録媒体７４０の場所とを基に、付与情報を生成する（Ｓ８０５）。付与対象特定部７１０はメタデータ付与部７２０に付与情報を渡す（Ｓ８０６）。メタデータ付与部７２０は受信した付与情報から付与するメタデータの内容とコンテンツの情報を読み取る（Ｓ８０７）。記録部７３０はＳ８０７において読み取ったコンテンツに関連するメタデータとして、Ｓ８０７において読み取ったメタデータの内容を記録媒体７４０に書き込む（Ｓ８０８）。通信部７００は成功通知情報を、メタデータ付与装置６１０に送信する（Ｓ８０９）。そして、コンテンツ管理装置６００はＳ８００の判定に戻る。
【００６９】
（３．まとめ）
以上のように、本実施の形態におけるメタ情報付与システムによれば、コンテンツを管理するコンテンツ管理装置６００を含み、メタデータ付与装置６１０がコンテンツ管理装置６００に付与すべきメタデータを送信することで、コンテンツ管理装置６００は、再送信情報を基に、記録済みのコンテンツから対応するコンテンツを検索し、メタデータを付与することができるため、記録を行ったカムコーダからコンテンツが移動した場合でも、コンテンツにメタデータを付与することができる。
【産業上の利用可能性】
【００７０】
本実施の形態にかかるメタ情報付与システムは、メタ情報付与装置と記録装置間の接続に不具合等が発生し、メタデータの付与に失敗した場合であっても、後ほど映像データに意図したメタデータを付与することができ、業務用のカメラレコーダ等に適用することができ、有用である。
【符号の説明】
【００７１】
１００  カムコーダ
１１０  メタデータ付与装置
２００、３００、７００  通信部
２１０  付与情報生成部
２２０  メタデータ記憶部
２３０  メタデータ入力部
２４０、３６０  時刻管理部
２５０  ＭＡＣアドレス管理部
３１０、７１０  付与対象特定部
３２０、７２０  メタデータ付与部
３３０、７３０  記録部
３４０、７４０  記録媒体
３５０  ＵＭＩＤ生成部
３７０  撮像部
６００  コンテンツ管理装置
【図１】
2011172128.tif 000003
【図２】
2011172128.tif 000004
【図３】
2011172128.tif 000005
【図４ａ】
2011172128.tif 000006
【図４ｂ】
2011172128.tif 000007
【図５ａ】
2011172128.tif 000008
【図５ｂ】
2011172128.tif 000009
【図６】
2011172128.tif 000010
【図７】
2011172128.tif 000011
【図８】
2011172128.tif 000012
【図９】
2011172128.tif 000013
【図１０】
2011172128.tif 000014